(57)【要約】【課題】  例えばシャツカラーに使用された場合、装飾用として好ましいものであり、また装飾部分が容易に取り換えができ、且つそのような装飾具を使用していて不快感を感じない装飾用係留具を提供せんとするものである。【解決手段】  装飾具２ｂの台座１２ｂから延出され留めピン１４ｂの先端側に螺刻された雄ネジ部分１０ｂと、上記台座１２ｂに対する留め具２２ｂに螺刻された雌ネジ部分２０ｂとを有する、装飾用係留具１ｂである。【選択図】        図５
2016073424.tif 000002
【特許請求の範囲】
【請求項１】
装飾具の台座から延出され留めピンの根元に螺刻された雄ネジ部分と、
上記台座の外周を包囲する副台座に螺刻された雌ネジ部分と
を少なくとも有しており、
上記留めピンの雄ネジ部分に、副台座の雌ネジ部分が螺着自在であり、その螺着が完了した状態では、上記台座と副台座が密着した状態で副台座の周縁が上記台座の外周を包囲する状態になることを特徴とする装飾用係留具。
【請求項２】
装飾具の台座から延出され留めピンの先端側に螺刻された雄ネジ部分と、
上記台座に対する留め具に螺刻された雌ネジ部分と
を少なくとも有しており、
上記留めピン先端側の雄ネジ部分から上の径が太くなっており、上記留めピンの雄ネジ部分に、留め具の雌ネジ部分が螺着が完了した状態では、留めピン下端が、留め具下面と同じ位置か、僅かに突出した状態であることを特徴とする装飾用係留具。
【発明の詳細な説明】
【技術分野】
【０００１】
本発明は、装飾用係留具に関する。
【背景技術】
【０００２】
下記特許文献１及び２では、図９に示すようなカフスボタン状の装飾金具２００を、同図或いは図１０に示すように、ボタンダウンの襟ボタンのような位置に、シャツのカラーの左右両側の端に取り付けるものが、提案されている。
【特許文献１】実用第３０３７５８８号
【特許文献２】実用第３０３１３７０号
【発明の開示】
【発明が解決しようとする課題】
【０００３】
しかし、これらで提案された構成は、カフスボタン状の装飾金具が、シャツの首周りのカラーに使用されており、カラーに対する固定具が露出される側が、あまりおしゃれであるとは言い難いという問題があった。
【０００４】
また通常カフスボタンは単品でできており、装飾部分が取り替え不可能であって、毎日同様なシャツを着る場合、シャツが変わっても、装飾金具が変更不可能なため、飽きられてしまい、仮に装飾金具が高価なものであった場合でも、次第に使用されなくなってしまうと言う問題があった。
【０００５】
さらに、上記特許文献２の図１２（本願では図１０として示されたもの）に示された構成では、どのように、装飾金具が留められているか明確ではないが、仮に、カフスボタン状のものではなく、裏側に留めピンのようなものが出ており、そのピンをカラー裏側で留めるような構成があったとしても、ピン先端側がその留め具より首回り側に突出している場合は、肌に突き刺さって痛みなどを感じるものもあり、それが気になって、次第に使用しなくなってしまうことが多いと考えられる。
【０００６】
本発明は、斯かる実情に鑑み創案されたものであって、例えば、シャツカラーや、その他の服の部分に使用されたり、帽子や靴、その他身体に取り付けるピアスなど、様々なアクセサリ用に使用された場合に、装飾用として好ましいものであり、また装飾部分が容易に取り換えができ、且つそのような装飾具を使用していて不快感を感じさせない装飾用係留具を提供せんとするものである。
【課題を解決するための手段】
【０００７】
本発明に係る装飾用係留具の構成は、
装飾具の台座から延出され留めピンの根元に螺刻された雄ネジ部分と、
上記台座の外周を包囲する副台座に螺刻された雌ネジ部分と
を少なくとも有しており、
上記留めピンの雄ネジ部分に、副台座の雌ネジ部分が螺着自在であり、その螺着が完了した状態では、上記台座と副台座が密着した状態で副台座の周縁が上記台座の外周を包囲する状態になることを基本的な特徴としている。
【０００８】
上記構成によれば、上記留めピンの雄ネジ部分に、副台座の雌ネジ部分の螺着が完了した状態では、上記台座と副台座が密着した状態で副台座の周縁が上記台座の外周を包囲する状態になる。従って、装飾具としての見た目では一体であって、例えばシャツカラーや、その他の服の部分に使用されたり、帽子や靴、その他身体に取り付けるピアスなどに使用された場合にはおしゃれであり、且つ中心部分にある台座或いはその外周にある副台座を交換でき、それらをいくつか持っていれば、いつでも組み合わせを変えられ、おしゃれを楽しむことが可能である。
【０００９】
その際、台座側の装飾具が別のもの（宝石や半貴石、或いはおしゃれなデザイン性のあるものなど）に替えられるだけでなく、副台座の周縁の表側に面する面にも、様々なデザインを施したものや宝石半貴石などを埋め込んだものを用いることも可能である。また台座に直接装飾が施されて装飾具を台座が兼ねることもある。
【００１０】
２つ目の本発明に係る装飾用係留具の構成は、
装飾具の台座から延出され留めピンの先端側に螺刻された雄ネジ部分と、
上記台座に対する留め具に螺刻された雌ネジ部分と
を少なくとも有しており、
上記留めピン先端側の雄ネジ部分から上の径が（極僅かに）太くなっており、上記留めピンの雄ネジ部分に、留め具の雌ネジ部分が螺着が完了した状態では、留めピン下端が、留め具下面と同じ位置か、僅かに突出した状態であることを特徴としている。
【００１１】
上記構成では、上記留めピン先端側の雄ネジ部分から上の径が（極僅かに）太くなっていて、上記留めピンの雄ネジ部分に、留め具の雌ネジ部分が螺着が完了した状態では、留めピン下端が、留め具下面と同じ位置か、僅かに突出した状態であるため、留めピンの先端が肌に突き刺さって痛みを感じるなどといったことが無く、使用していて不快感を感じるようなことが無くなる。
【００１２】
これらは、上のシャツカラー、その他の服の部分に使用されたり、帽子や靴、その他身体に取り付けるピアスなどに使用された場合でも、全くそのような不快感を感じさせることはない。尚、上述と同様に、台座に直接装飾が施されて装飾具を台座が兼ねることもある。
【発明の効果】
【００１３】
本発明の装飾用係留具に係る上記構成によれば、例えば、シャツカラーに使用された場合、装飾用として好ましいものであり、また装飾部分や副台座の表側に面する面に取り付けられたものが異なるものに容易に取り換えができるため、おしゃれを楽しむ機会が増え、さらに、そのような装飾具を使用していて不快感を感じさせることがないという優れた効果を奏し得ることになる。もちろん、本構成は、そればかりではなく、その他の服の箇所（例えば帽子や靴など）や、或いはピアスなどの身体に取り付けて、おしゃれを楽しむこともできることは言うまでもない。
【発明を実施するための最良の形態】
【００１４】
以下、本発明の実施の形態を図示例と共に説明する。
【実施例１】
【００１５】
図１〜図３は、本発明に係る装飾用係留具が適用された装飾具２ａの一例を示している。これらの図に示すように、本発明の実施例に係る装飾用係留具１ａは、装飾具２ａの台座１２ａから延出され留めピン１４ａの根元に螺刻された（雄ネジになるようにネジ切りされた）雄ネジ部分１０ａと、上記台座１２ａの外周を包囲する副台座２２ａに螺刻された（雌ネジになるようにネジ切りされた）雌ネジ部分２０ａとを有しており、上記留めピン１４ａの雄ネジ部分１０ａに、副台座２２ａの雌ネジ部分２０ａが螺着自在であり、その螺着が完了した状態では、図３に示すように、上記台座１２ａと副台座２２ａが密着した状態で副台座２２ａの周縁が上記台座１２ａの外周を包囲する状態になる。
【００１６】
尚、雌ネジ部分２０ａの入り側にテーパが設けられていれば、留めピン１４ａの雄ネジ部分１０ａ先端が雌ネジ部分２０ａに入りやすくなるので、それを設けていると良い。
【００１７】
このような装飾用係留具構造を有することで、装飾具２ａは、台座１２ａ側の装飾具２ａと、副台座２２ａ側の外周縁部分とのデザインを、夫々違うもので構成し、各々をその時々の気分により取り替えることで、例えば、図４に示すように、今日はテントウムシの装飾具２ａのものを中心にして、首周りのシャツカラーの当たりに付けることで、気の利いたおしゃれを楽しむことができるようになる。
【００１８】
他には、このようなテントウムシ柄のものではなく、図１〜３に示すような宝石や半貴石などの装飾具２ａとすることも可能である。それだけではなく、副台座２２ａの外周縁部に、違ったデザインの施されたものを用いることもできる。すなわち、上述のように、副台座の周縁の表側に面する面にも、様々なデザインを施したものや宝石半貴石などを埋め込んだものを用いることが可能である。そのため、装飾具２ａとしての見た目では、一体であってシャツカラー専用としておしゃれであり、且つ中心部分にある台座１２ａ或いはその外周にある副台座２２ａを交換でき、それらをいくつか持っていれば、その時々によって組み合わせを変えられ、おしゃれを楽しむことが可能である。
【実施例２】
【００１９】
図５及び６は、本発明に係る装飾用係留具が適用された装飾具２ｂの他の一例を示している。これらの図に示すように、本発明の実施例２に係る装飾用係留具１ｂは、装飾具２ｂの台座１２ｂから延出され留めピン１４ｂの先端側に螺刻された雄ネジ部分１０ｂと、上記台座１２ｂに対する留め具２２ｂに螺刻された雌ネジ部分２０ｂとを有している。
【００２０】
上記留めピン１４ｂ先端側の雄ネジ部分１０ｂから上の径が極僅かに太くなっており、上記留めピン１４ｂの雄ネジ部分１０ｂに、留め具２２ｂの雌ネジ部分２０ｂが螺着が完了した状態では、留めピン１４ｂ下端が、留め具２２ｂ下面と同じ位置か、僅かに突出した状態になるように、雄ネジ部分１０ｂと雌ネジ部分２０ｂとが、ネジ切り調整してある。しかも上述のように、留めピン１４ｂ先端側の雄ネジ部分１０ｂから上の径が僅かに太くされている。
【００２１】
そのため、留めピン１４ｂをシャツカラーからさらにシャツの生地に予め設けられた切り欠き孔（図示無し）を通し、そのピン先端に、留め具２２ｂの雌ネジ部分２０ｂを嵌めて回すことにより、その螺着が完了した時点では、図６に示すように（同図では斜線の入った部分がそれぞれカラーとシャツの生地の部分を示している）、留めピン１４ｂ下端が、留め具２２ｂ下面と同じ位置か、僅かに突出した状態になって、装飾具２ｂに図４のテントウムシのような取り付け向きがある場合などは、ピタリとその向きが固定されて、シャツカラーに取り付け可能となる。
【００２２】
尚、上記実施例１と同様、留め具２２ｂの雌ネジ部分２０ｂの入り側にテーパが設けられていれば、留めピン１４ｂの雄ネジ部分１０ｂ先端が雌ネジ部分２０ｂに入りやすくなるので、それを設けていると良い。
【００２３】
上記実施例構成では、上記留めピン１４ｂ先端側の雄ネジ部分１０ｂから上の径が極僅かに太くなっていて、上記留めピン１４ｂの雄ネジ部分１０ｂに、留め具２２ｂの雌ネジ部分２０ｂが螺着が完了した状態では、留めピン１４ｂ下端が、留め具２２ｂ下面と同じ位置か、僅かに突出した状態であるため、留めピン１４ｂの先端が肌に突き刺さって痛みを感じるなどといったことが無く、使用していて不快感を感じるようなことが無くなり、気にならなくなった分、より一層シャツカラー当たりのおしゃれを楽しむことができるようになる。
【実施例３】
【００２４】
図７は、上記実施例１と実施例２とを組み合わせた構成を示している。すなわち、実施例に係る装飾用係留具１００は、装飾具２ｃの台座１２０から延出され留めピン１４０の根元に螺刻された第１の雄ネジ部分１１０と、同留めピン１４０の先端側に螺刻された第２の雄ネジ部分１１２と、上記台座１２０の外周を包囲する副台座２２０に螺刻された第１の雌ネジ部分２４０と、上記台座１２０に対する留め具２４２に螺刻された第２の雌ネジ部分２４４とを有しており、上記留めピン１４０の第１の雄ネジ部分１１０に、副台座２２０の第１の雌ネジ部分２４０が螺着自在であり、その螺着が完了した状態では、同図に示すように、上記台座１２０と副台座２２０が密着した状態で副台座２２０の周縁が上記台座１２０の外周を包囲する状態になっている。
【００２５】
そのため、装飾具２ｃは、台座１２０側の装飾具２ｃと、副台座２２０側の外周縁部分とのデザインを、夫々違うもので構成し、各々をその時々の気分により取り替えることで、例えば、前記図４のようなテントウムシの装飾具２００のものを、また次には別の種類のものを、首周りのシャツカラーの当たりに付けることで、気の利いたおしゃれを楽しむことができるようになる。
【００２６】
一方、上記留めピン１４０先端側の第２の雄ネジ部分１１２から上の径が極僅かに太くなっており、上記留めピン１４０の第２の雄ネジ部分１１２に、留め具２４２の第２の雌ネジ部分２４４が螺着が完了した状態では、留めピン１４０下端が、留め具２４２下面と同じ位置か、僅かに突出した状態になるように、第２の雄ネジ部分１１２と留め具２４２の第２の雌ネジ部分２４４とが、ネジ切り調整してあって、該留め具２４２が回し終えて、それ以上回しきれない状態になった時には、留めピン１４０下端が、留め具２４２下面と同じ位置か、僅かに突出した状態であり、留めピン１４０の先端が肌に突き刺さって痛みを感じるなどといったことが無く、使用していて不快感を感じることが無い。
【００２７】
また、装飾具２００に図４のテントウムシのような取り付け向きがある場合などは、ピタリとその向きが固定されて、シャツカラーに取り付け可能となる。尚、上記実施例１及び２と同様、留め具２２ａ、２２ｂの雌ネジ部分２０ａ、２０ｂの入り側にテーパが設けられていれば、留めピン１４ａ、１４ｂの雄ネジ部分１０ａ、１０ｂ先端が雌ネジ部分２０ａ、２０ｂに入りやすくなるので、それを設けていると良い。
【実施例４】
【００２８】
図８は、これまでとは異なり、身体につけるピアス（この図では、耳に使用しているが）等に用いた場合の実施例構成を示している。この構成としては実施例１や実施例２、３と同様な構成（図では２が装飾具、２２が副台座）としている。ただ、用いられる場所が服ではなく、身体につけるアクセサリの装飾用係留具として用いられているだけである。もちろん装飾具２を色々なものに取り替えられるし、副台座２２も様々な種類のものに替えることができる。また、第２の発明のような構成を用いている場合は、留めピン（図示無し）の先端が出ないか、出てもごく僅かであるため、耳の裏側に当たることは無く、付けていて痛い等といった違和感も無い。
【００２９】
尚、本発明の装飾用係留具は、上述の図示例にのみ限定されるものではなく、本発明の要旨を逸脱しない範囲内において種々変更を加え得ることは勿論である。
【産業上の利用可能性】
【００３０】
本発明の装飾用係留具は、シャツカラー専用というわけではなく、身にまとったり、靴のように履いたり、帽子のように被ったりする、人が着用するものの装飾用に使用でき、また実施例４に示すようにピアスなどの身体に使用できるアクセサリにも利用可能である。
【図面の簡単な説明】
【００３１】
【図１】本発明に係る装飾用係留具が適用された装飾具２ａの一例を示す平面図である。
【図２】上記装飾具２ａの正面断面図である。
【図３】同じく螺着が完了した状態の上記装飾具２ａの正面断面図である。
【図４】別の装飾具２ａの取り付け状態を示す斜視図である。
【図５】本発明に係る装飾用係留具が適用された装飾具２ｂの他の一例を示す正面断面図である。
【図６】螺着が完了し、シャツなどに取り付けられた状態を示す上記装飾具２ａの正面断面図である。
【図７】実施例１と実施例２とを組み合わせた構成を示すシャツなどに取り付けられた状態を示す上記装飾具２ａの正面断面図である。
【図８】実施例４として本装飾用係留具がピアスに用いられた場合の実施例構成を示す説明図である。
【図９】カフスボタン状の装飾金具の従来技術の構成を示す説明図である。
【図１０】ボタンダウンの襟ボタンのような位置に、シャツのカラーの左右両側の端に取り付けた装飾金具の従来技術の構成を示す説明図である。
【符号の説明】
【００３２】
１ａ、１ｂ、１００    装飾用係留具
２、２ａ、２ｂ、２ｃ  装飾具
１０ａ、１０ｂ          雄ネジ部分
２０ａ、２０ｂ          雌ネジ部分
１２ａ、１２ｂ、１２０  台座
１４ａ、１４ｂ、１４０  留めピン
２２、２２ａ、２２０    副台座
２２ｂ、２４２          留め具
１１０                    第１の雄ネジ部分
１１２                    第２の雄ネジ部分
２４０                    第１の雌ネジ部分
２４４                    第２の雌ネジ部分
【図１】
2016073424.tif 000003
【図２】
2016073424.tif 000004
【図３】
2016073424.tif 000005
【図４】
2016073424.tif 000006
【図５】
2016073424.tif 000007
【図６】
2016073424.tif 000008
【図７】
2016073424.tif 000009
【図８】
2016073424.tif 000010
【図９】
2016073424.tif 000011
【図１０】
2016073424.tif 000012